(57)【要約】【課題】平行に配列された複数本の記録トラックがスパイラル上に形成され、隣接する記録トラックの少なくとも一部が共通しているアドレスの光ディスクに効率的にデータを記録する。【解決手段】発明の光ディスク装置に用いられる光ディスクは、トラックＴｒＡとトラックＴｒＢとの２本のトラックが１対となってスパイラルに形成されている。この光ディスク装置では、エラー訂正単位の整数倍となる１６クラスタを切換単位として、データを記録するトラックを交互に切り換る。【選択図】図１
2007052923.tif 000002
【特許請求の範囲】
【請求項１】
平行に配列された複数本の記録トラックがスパイラル上に形成された光ディスクであって、
側壁を共有する第１の記録トラックと、第２の記録トラックとを有し、
上記第１の記録トラックと上記第２の記録トラックに対応するウォブルにより記録される第１の記録トラック及び該第２の記録トラックに対してのアドレスの少なくとも一部が共通していることを特徴とする光ディスク。
【請求項２】
平行に配列された複数本の記録トラックがスパイラル上に形成され、隣接する記録トラックの少なくとも一部が共通しているアドレスの光ディスクの記録装置において、
上記記録トラックに対してデータを記録する記録手段と、
上記記録手段を制御して、データを記録する記録トラックをエラー訂正単位の整数倍毎に切り換える制御手段とを備える記録装置。
【請求項３】
平行に配列された複数本の記録トラックがスパイラル上に形成され、隣接する記録トラックの少なくとも一部が共通しているアドレスの光ディスクの記録方法において、
エラー訂正単位の整数倍毎に記録トラックを切り換えて、上記複数の記録トラックにデータを記録することを特徴とする光ディスク記録方法。
【発明の詳細な説明】
【技術分野】
【０００１】
本発明は、平行に配列された複数本の記録トラックがスパイラル状に形成された光ディスク、記録装置及び記録方法に関する。
【背景技術】
【０００２】
従来より、プログラムデータ，映像データ，音声データ等が記録される記録媒体として光ディスクが知られている。この光ディスクには、一般に、一本の記録トラックがスパイラル状に記録面に形成されており、この一本の記録トラック上に例えば内周側から外周側に向かって順次データが記録される。
【０００３】
【特許文献１】特開平０６−２７４８９６号公報
【発明の開示】
【発明が解決しようとする課題】
【０００４】
ところで、近年、記録データの高密度化を図るため、２本の記録トラックがスパイラル状に記録面に形成された、トラックがいわゆるダブルスパイラル形式となっている光ディスクが提案されている。
【０００５】
しかしながら、このようなダブルスパイラル形式の光ディスクでは、２本の記録トラックに効率的にデータを記録することが困難であった。
【０００６】
本発明は、効率的にデータを記録することが可能な平行に配列された複数本の記録トラックがスパイラル状に形成された光ディスク、記録装置及び記録方法を提供することを目的とする。
【課題を解決するための手段】
【０００７】
上述の課題を解決するために、本発明に係る光ディスクは、平行に配列された複数本の記録トラックがスパイラル上に形成された光ディスクであって、側壁を共有する第１の記録トラックと、第２の記録トラックとを有し、上記第１の記録トラックと上記第２の記録トラックに対応するウォブルにより記録される第１の記録トラック及び該第２の記録トラックに対してのアドレスの少なくとも一部が共通していることを特徴とする。
【０００８】
また、本発明に係る記録装置は、行に配列された複数本の記録トラックがスパイラル上に形成され、隣接する記録トラックの少なくとも一部が共通しているアドレスの光ディスクの記録装置において、上記記録トラックに対してデータを記録する記録手段と、上記記録手段を制御して、データを記録する記録トラックをエラー訂正単位の整数倍毎に切り換える制御手段とを備える。
【０００９】
更に、本発明に係る記録方法は、平行に配列された複数本の記録トラックがスパイラル上に形成され、隣接する記録トラックの少なくとも一部が共通しているアドレスの光ディスクの記録方法において、エラー訂正単位の整数倍毎に記録トラックを切り換えて、上記複数の記録トラックにデータを記録することを特徴とする。
【発明の効果】
【００１０】
本発明は、平行に配列された複数本の記録トラックがスパイラル上に形成され、隣接する記録トラックの少なくとも一部が共通しているアドレスの光ディスクに対して、エラー訂正単位の整数倍毎に記録トラックを切り換えて、全ての記録トラックに対してデータを記録する。これにより、効率的にデータを記録することができる。本発明では、各記録トラックの切換点を容易に判別することができる。また、本発明によりデータが記録された光ディスクを再生する場合にも、この切換点を容易に判別することができ、記録されたデータの編集処理も容易に行うことができる。また、本発明では、光ディスクに対して効率的にデータを記録することができるので、データを書き込む際の転送レートも早くすることができる。
【発明を実施するための最良の形態】
【００１１】
以下、本発明を適用した実施の形態の光ディスク装置について、図面を参照しながら説明する。なお、この実施の形態の光ディスク装置を説明するにあたり、いわゆるＭＤ−ＤＡＴＡ２フォーマットの光ディスクを記録媒体として用いた例を示す。
【００１２】
図１に、上記光ディスクのトラック形状を説明する為の図を示し、図２にこの光ディスクの記録トラックの要部Ａを拡大した図を示す。光ディスク１は、直径が約６４ｍｍ，ディスク厚が１．２ｍｍの円盤状記録媒体であり、光磁気記録方式でデータが記録される。また、光ディスク１は、記録トラックのトラックピッチが０．９５μｍとなっている。
【００１３】
この光ディスク１には、外周側から内周側にかけてスパイラル状のランドとグルーブとがディスク記録面に形成されている。この光ディスク１では、形成されたランドとグルーブのうち、ランド部分が記録トラックとなりデータが記録される。また、この光ディスク１では、トラック形式がいわゆるダブルスパイラル形式となっており、平行に配列された２本の記録トラック（すなわちランド）が一対となってスパイラル状にディスク記録面に形成されている。ここで、一対の記録トラックのうち、内周側の記録トラックを記録トラックＴｒＡとし、外周側の記録トラックを記録トラックＴｒＢとする。
【００１４】
各記録トラックの間には、ウォブルが与えられたウォブルドグルーブＷＧ或いはウォブルが与えられていないノンウォブルドグルーブＮＷＧが形成されている。具体的には、記録トラックＴｒＡの内周側には、ノンウォブルドグルーブＮＷＧが隣接し、記録トラックＴｒＢの内周側には、ウォブルドグルーブＷＧが隣接している。すなわち、スパイラルを構成する一対の記録トラックＴｒＡと記録トラックＴｒＢとの間にウォブルドグルーブＷＧが形成されており、スパイラルを構成する一対の記録トラックＴｒＡと記録トラックＴｒＢとの両サイドにノンウォブルドグルーブＮＷＧが形成されている。
【００１５】
ウォブルドグルーブＷＧには、光ディスク１上の物理アドレスがＦＭ変調及びバイフェーズ変調された信号に応じて蛇行線が形成されている。そのため、この光ディスク１に対して記録再生をする記録再生装置では、ウォブルドグルーブＷＧに形成されている蛇行線に応じた信号であるウォブル信号を検出し、このウォブル信号を復調することにより、光ディスク１上の物理アドレス情報を抽出することができる。また、このウォブルドグルーブは、スパイラルを構成する一対の記録トラックＴｒＡと記録トラックＴｒＢとの間に形成されていることから、この記録トラックＴｒＡと記録トラックＴｒＢとが１つのアドレスを共有することとなっている。
【００１６】
光ディスク１では、このようにウォブルグルーブＷＧを形成することによって、例えば、他のウォブルグルーブＷＧから与えられるウォブル信号とのクロストークを少なくしたウォブル信号を検出させることができ、かつ、記録トラックのトラックピッチを狭くすることができる。
【００１７】
なお、同一のアドレス情報が与えられる記録トラックＴｒＡと記録トラックＴｒＢとの識別は、次のように行われる。
【００１８】
この記録トラックＴｒＡと記録トラックＴｒＢとの識別を行うためには、例えば、図３に示すように、記録されているデータの記録再生を行うメインビームとともに、ウォブル信号を検出する２つのサイドビームを用いればよい。この２つのサイドビームのビームスポットＳＰｓ１，ＳＰｓ２は、メインビームのビームスポットＳＰｍが所定の記録トラックに対してオントラックの状態となっているときに、その記録トラックに隣接するグルーブ上に照射されている。そのため、例えば、メインビームのビームスポットＳＰｍが記録トラックＴｒＡにオントラックの状態になっているときには、外周側のサイドビームのビームスポットＳＰｓ１はウォブルドグルーブＷＧに照射され、内周側のサイドビームのビームスポットＳＰｓ２はノンウォブルドグルーブＮＷＧに照射される。一方、メインビームのビームスポットＳＰｍが記録トラックＴｒＢにオントラックの状態になっているときには、外周側のサイドビームのビームスポットＳＰｓ１はノンウォブルドグルーブＮＷＧに照射され、内周側のサイドビームのビームスポットＳＰｓ２はウォブルドグルーブＷＧに照射される。
【００１９】
このため光ディスク１では、メインビームのビームスポットＳＰｍが記録トラックＴｒＡ又は記録トラックＴｒＢのいずれに照射されているかによって、２つのサイドビームのビームスポットＳＰｓ１及びＳＰｓ２が照射しているグルーブが、ウォブルドグルーブＷＧとノンウォブルドグルーブＮＷＧとで入れ替わる。従って、光ディスク１では、サイドビームのビームスポットＳＰｓ１及びＳＰｓ２のどちらがウォブルドグルーブＷＧ（或いは、ノンウォブルドグルーブＮＷＧ）に照射されているかを判断することによって、同一のアドレス情報が与えられる記録トラックＴｒＡと記録トラックＴｒＢとの識別がされる。
【００２０】
また、光ディスク１の記録トラックには、開口数ＮＡが０．５２の対物レンズを介して波長λが６５０ｎｍのレーザ光が照射される。この記録トラックには、転送レートが５８９ｋＢ／ｓでデータが記録されるとともに、２．０ｍ／ｓの一定線速度でデータが記録される。そして、この記録トラックには、１ビットのビット長が０．２９μｍでデータが記録される。
【００２１】
また、光ディスク１の記録トラックには、１−７ＲＬＬ（Run Length Limited）変調方式、ＲＳ−ＰＣ（Reed-Solomon - product code）エラー訂正方式、ブロック完結型のデインタリーブ方式が採用されたデータが記録される。その結果、この光ディスク１は、データの冗長度が１９．７％となり、全体の記憶容量として約６５０Ｍバイトの記憶容量を有している。
【００２２】
また、光ディスク１では、上記ウォブルドグルーブＷＧにより記録された１つのアドレスの領域が１セクタを構成している。この１セクタは、記録トラックに沿って約６．９ｍｍ毎に形成されている。そして、この光ディスク１では、１６セクタ分の記録領域で１クラスタという単位を構成している。この１クラスタには、１つのエラー訂正（ＥＣＣ）ブロック単位のデータが記録される。従って、この光ディスク１では、データの書き換え単位となるＥＣＣブロック単位のデータが１クラスタに記録され、物理アドレスと記録するデータ量との整合性が取られている。なお、光ディスク１では、１つのＥＣＣブロックのデータ量が、３２７６８バイトとなっている。
【００２３】
以上の光ディスク１の各仕様をまとめて以下の表１に示す。
【００２４】
【表１】
2007052923.tif 000003
【００２５】
以上のような光ディスク１では、高密度にデータを記録することができ、例えば、ＭＰＥＧ２により画像圧縮をした映像信号であれば、１５分から１７分程度の記録をすることができる。
【００２６】
つぎに、上記光ディスク１に対して記録再生を行う本発明を適用した実施の形態の光ディスク装置について説明する。
【００２７】
図４に、本発明を適用した実施の形態の光ディスク装置のブロック構成図を示す。
【００２８】
上記光ディスク装置２は、データ記録時に光ディスク１に対して変調磁界を与える磁気ヘッド１１と、データ記録時及び再生時に光ディスク１に対してレーザ光を出射する光学ヘッド１２と、光ディスク１を回転駆動するスピンドルモータ１３とを備えている。
【００２９】
上記光ディスク装置２は、記録系として、データ入力部１４と、ＩＤ，ＥＤＣエンコーダ１５と、ＥＣＣデコーダ１６と、メモリ１７と、変調部１８と、磁界変調ドライバ１９とを備えている。上記光ディスク装置２は、再生系として、ＲＦアンプ２１と、ＲＦ信号復調部２２と、ＩＤデコーダ２３と、メモリ２４と、ＥＣＣデコーダ２５と、ＥＤＣデコーダ２６と、データ出力部２７とを備えている。上記光ディスク装置２は、サーボ系として、サーボコントローラ２８を備えている。上記光ディスク装置２は、光ディスク１のウォブルドグルーブＷＧに記録されたウォブル信号を検出して光ディスク１の物理アドレス情報を検出するＡＤＩＰデコーダ２９を備えている。そして、上記光ディスク装置２は、上記記録系及び再生系、並びに、上記サーボコントローラ２８等を制御するシステムコントローラ３０を備えている。
【００３０】
この光ディスク装置２は、記録動作時において以下のような処理を行う。
【００３１】
この光ディスク装置２には、例えば、カメラ，ビデオテープレコーダ，衛星放送のセットトップボックス等の外部装置から、光ディスク１に記録する記録データが供給される。この記録データは、データ入力部１４に供給される。このデータ入力部１４に入力された記録データは、ＩＤ，ＥＤＣエンコーダ１５に供給される。ＩＤ，ＥＤＣエンコーダ１５は、供給された記録データに、この記録データのＩＤ情報と、この記録データのエラー検出を行うためのエラー検出コード（ＥＤＣ）とを付加する。ＩＤ情報とＥＤＣとが付加された記録データは、ＥＣＣデコーダ１６に供給される。ＥＣＣデコーダ１６は、所定のエラー訂正ブロック単位で、エラー訂正コード（ＥＣＣ）を記録データに付加する。ＥＣＣが付加された記録データは、一旦メモリ１７に格納される。
【００３２】
メモリ１７に格納された記録データは、外部装置から光ディスク装置２へデータが転送されたときの転送レートと、光ディスク１へデータを書き込むときの書き込みレートとの違いから生じる時間ずれがこのメモリ１７により吸収された後、変調部１８に供給される。変調部１８は、供給された記録データを所定の変調方式で変調する。変調された記録データは、磁界変調ドライバ１９に供給される。磁界変調ドライバ１９は、供給された記録データに応じて磁気ヘッド１１を駆動し、この記録データを光ディスク１の記録トラックに対して光磁気記録をする。
【００３３】
また、光ディスク装置２は、再生動作時において以下のような処理を行う。
【００３４】
光ディスク装置２では、光ディスク１の記録トラックに記録されているデータを光学ヘッド１２が読み取り、再生信号をＲＦアンプ２１に供給する。ＲＦアンプ２１は、光ディスク１から読みとられた再生信号の増幅等の処理を行い、ＲＦ信号復調部２２に供給する。ＲＦ信号復調部２２は、再生信号の２値化処理や復調処理等を行って再生データを生成する。生成された再生データは、一旦メモリ２４に格納される。また、ＲＦ信号復調部２２により生成された再生データは、ＩＤデコーダ２３にも供給される。ＩＤデコーダ２３は、再生データからＩＤ情報を検出する。検出されたＩＤ情報は、このＩＤ情報が示す再生データととともに、メモリ２４に一旦格納される。
【００３５】
メモリ２４に格納された再生データは、光ディスク１からデータを読み出すときの読み出しレートと、光ディスク装置２から外部装置へのデータの転送レートとの違いから生じる時間ずれがこのメモリ２４により吸収された後、ＥＣＣデコーダ２５に供給される。ＥＣＣデコーダ２５は、所定のエラー訂正ブロック単位で付加されたＥＣＣに基づき、再生データのエラー訂正を行う。エラー訂正がされた再生データは、ＥＤＣデコーダ２６に供給される。ＥＤＣデコーダ２６は、再生データに付加されたＥＤＣに基づき、再生データのエラー検出を行う。エラー検出がされた再生データは、データ出力部２７に供給される。データ出力部２７は、例えば、カメラ，ビデオテープレコーダ，衛星放送のセットトップボックス等の外部装置に再生データを供給する。
【００３６】
また、光ディスク装置２では、記録動作時或いは再生動作時において、以下のようなサーボ処理を行う。
【００３７】
ＲＦアンプ２１は、光学ヘッド１２により検出された信号に基づき、光学ヘッド１２から出射されているレーザ光のレーザスポットが光ディスク１の記録面に対してジャストフォーカスとなっているかを示すフォーカスエラー信号、このレーザスポットが記録トラックにジャストトラックとなっているかを示すトラッキングエラー信号等を生成する。このフォーカスエラー信号，トラッキングエラー信号等は、サーボコントローラ２８に供給される。サーボコントローラ２８は、このフォーカスエラー信号，トラッキングエラー信号等に基づき、光学ヘッド１２から出射されているレーザ光のレーザスポットがジャストスポット，ジャストトラックとなるように、光学ヘッド１２を制御する。
【００３８】
また、サーボコントローラ２８は、例えばウォブル信号等から得られるクロック等に基づき、線速度一定でデータの記録又は再生ができるように、スピンドルモータ１３の回転速度を制御する。また、サーボコントローラ２８は、光ディスク１に対して好適なレーザパワーにより記録或いは再生ができるように、光学ヘッド１２から出射するレーザ光のパワーを切り換え、或いは、そのパワー制御を行う。
【００３９】
また、光ディスク装置２では、記録動作時或いは再生動作時において、以下のように光ディスク１からアドレス情報の検出処理を行う。
【００４０】
上述したように光ディスク１には、記録トラック（ランド）に隣接するウォブルドグルーブＷＧに、アドレス情報が記録されている。ＲＦアンプ２１は、例えば、２つのサイドスポットＳＰｓ１，ＳＰｓ２の反射光量の差分から、いわゆるプッシュプル信号を生成する。このプッシュプル信号は、ＡＤＩＰデコーダ２９に供給される。ＡＤＩＰデコーダ２９は、このプッシュプル信号からウォブル信号を検出する。そして、ＡＤＩＰデコーダ２９は、このウォブル信号をデコードして、現在記録或いは再生をしている光ディスク１上の物理アドレスを検出し、システムコントローラ３０に供給する。また、ＡＤＩＰデコーダ２９は、このウォブル信号の極性等を判断して、現在記録或いは再生をしている記録トラックが、いわゆるダブルスパイラル形式で形成されたトラック位置が、内周側の記録トラックＴｒＡであるか或いは外周側の記録トラックＴｒＢであるかを検出する。この記録トラックの位置情報は、システムコントローラ３０に供給される。
【００４１】
システムコントローラ３０には、ＡＤＩＰデコーダ２９により検出されたアドレス情報及びトラック位置情報が供給される。また、システムコントローラ３０には、再生開始アドレスや記録開始アドレス等の情報が、外部装置等から供給される。システムコントローラ３０は、これらの情報に基づき、光学ヘッド１２を光ディスク１の半径方向に移動させるトラックジャンプ信号を生成し、サーボコントローラ２８に供給する。サーボコントローラ２８は、このトラックジャンプ信号に基づき、光学ヘッド１２を光ディスク１の半径方向に移動させ、所定のアドレスの記録トラックにレーザ光を照射させる。
【００４２】
以上のように光ディスク装置２では、外部装置から供給された記録データを光ディスク１に光磁気記録することができ、また、光ディスク１を再生して、再生データを外部装置に供給することができる。
【００４３】
つぎに、ダブルスパイラル形式で形成された光ディスク１の各記録トラックにデータを記録する方式について説明する。
【００４４】
光ディスク１は、上述したようにいわゆるダブルスパイラル形式となっており、平行に配列された２本の記録トラック（記録トラックＴｒＡ，記録トラックＴｒＢ）が一対となってスパイラル状にディスク記録面に形成されている。光ディスク装置２では、所定の切換単位を設定し、この切換単位毎に内周側の記録トラックである記録トラックＴｒＡと、外周側の記録トラックを記録トラックＴｒＢとを切り換えて記録している。
【００４５】
具体的には、光ディスク装置２は、図５に示すように、例えば、１６クラスタ分のトラックの長さを所定の切換単位とし、１６クラスタ分のデータを記録したら、記録トラックＴｒＡと記録トラックＴｒＢとを切り換えるようにしている。１つのクラスタに記録されるデータ量は１つのＥＣＣブロックのデータ量と等価（１つＥＣＣブロックのデータ量は32768バイト）となり、このようにクラスタの整数倍のトラックの長さを切換単位とすることにより、光ディスク装置２では、切換単位を一定のデータ量とすることができる。このように１つの切換単位で記録されるデータ量が一定とすると、例えば１つの光ディスク１に異なる複数のアプリケーションを記録する場合であっても、記録トラックＴｒＡと記録トラックＴｒＢとを切り換える位置が特定でき、取り扱いが容易となる。また、この光ディスク１では線速度一定でデータが記録されるため１つのクラスタの長さは一定（約６．９ｍｍ×１６）となり、このようにクラスタの整数倍のトラックの長さを切換単位とすることにより、光ディスク装置２では、切換単位を一定のトラック長とすることができる。
【００４６】
このように１６クラスタを切換単位として、記録トラックＴｒＡと記録トラックＴｒＢとを切り換えて記録をする光ディスク装置２の記録処理について、図６に示すフローチャートを用いて説明する。なお、ここで、光ディスク１のセクタ単位の物理アドレスを、ADD_Ｘとして表現している。
【００４７】
まず、記録が開始されると、システムコントローラ３０は、外部装置等から供給された制御情報に基づき、記録開始アドレス（ADD_Ｘ）を指定する（ステップＳ１）。続いて、システムコントローラ３０は、サーボコントローラ２８に、トラックジャンプ命令を与え、光学ヘッド１２及び磁気ヘッド１１を、記録開始アドレス（ADD_Ｘ）にトラックジャンプさせる（ステップＳ２）。続いて、システムコントローラ３０は、光学ヘッド１２及び磁気ヘッド１１を、この記録開始アドレス（ADD_Ｘ）の内周側の記録トラックＴｒＡに移動させ（ステップＳ３）、この記録トラックＴｒＡの記録開始アドレス（ADD_Ｘ）からデータの記録を開始する（ステップＳ４）。
【００４８】
そして、システムコントローラ３０は、ＡＤＩＰデコーダ２９により検出されるアドレス情報をモニタリングし、記録しているデータが、記録開始アドレス（ADD_Ｘ）から１６セクタ先のアドレス（ADD_Ｘ＋１５）となったかどうかを判断する（ステップＳ５）。続いて、１６セクタ先のアドレス（ADD_Ｘ＋１５）まで記録されたと判断する場合には、すなわち、１クラスタ分のデータを記録したと判断する場合には、次に１６クラスタ分のデータを記録したかどうかを判断する（ステップＳ６）。１６クラスタ分のデータを記録していないと判断する場合には、ステップＳ５からの処理を繰り返す。
【００４９】
システムコントローラ３０は、１６クラスタ分のデータを記録したと判断する場合には、この記録トラックＴｒＡへのデータの記録を停止する。すなわち、所定の切換単位分のデータを記録したと判断した場合には、記録を停止する（ステップＳ７）。
【００５０】
続いて、システムコントローラ３０は、サーボコントローラ２８に、トラックジャンプ命令を与え、光学ヘッド１２及び磁気ヘッド１１を、再度、記録開始アドレス（ADD_Ｘ）にトラックジャンプさせる（ステップＳ８）。続いて、システムコントローラ３０は、光学ヘッド１２及び磁気ヘッド１１を、この記録開始アドレス（ADD_Ｘ）の外周側の記録トラックＴｒＢに移動させ（ステップＳ９）、この記録トラックＴｒＢの記録開始アドレス（ADD_Ｘ）からデータの記録を開始する（ステップＳ１０）。
【００５１】
そして、システムコントローラ３０は、ＡＤＩＰデコーダ２９により検出されるアドレス情報をモニタリングし、記録しているデータが、記録開始アドレス（ADD_Ｘ）から１６セクタ先のアドレス（ADD_Ｘ＋１５）となったかどうかを判断する（ステップＳ１１）。続いて、１６セクタ先のアドレス（ADD_Ｘ＋１５）まで記録されたと判断する場合には、すなわち、１クラスタ分のデータを記録したと判断する場合には、次に１６クラスタ分のデータを記録したかどうかを判断する（ステップＳ１２）。１６クラスタ分のデータを記録していないと判断する場合には、ステップＳ１１からの処理を繰り返す。
【００５２】
システムコントローラ３０は、１６クラスタ分のデータを記録したと判断する場合には、この記録トラックＴｒＢへのデータの記録を停止する。すなわち、所定の切換単位分のデータを記録したと判断した場合には、記録を停止する（ステップＳ１３）。
【００５３】
そして、システムコントローラ３０は、記録トラックＴｒＡ及び記録トラックＴｒＢの両者に１６クラスタ分のデータを記録すると、指定したアドレス（ADD_Ｘ）に対して１６クラスタ分先のアドレス（ADD_Ｘ＋２５５）を指定して（ステップＳ１４）、ステップＳ２からの処理を繰り返す。
【００５４】
光ディスク装置２では、以上のようなステップＳ１からステップＳ１４までの処理を行うことによって、光ディスク１に対して、効率的にデータを記録することができ、また、各記録トラックの切換点を容易に判別することができる。
【００５５】
さらに、光ディスク装置２では、以上のようなステップＳ１からステップＳ１４までの処理を行うことによって、光ディスク１の最内周側（或いは最外周側）から順次データを記録していくことができる。そのため、光ディスク１に対して所定量データを記録した場合には、あるアドレスから外周側（或いは内周側）全体を、データが記録されていない未記録領域とすることができる。従って、光ディスク１に追加データを記録する場合には、この未記録領域にデータが記録されていく。そのため、光ディスク装置２では、追加データを記録する場合に、外乱等により書き込み位置がずれても、すでに光ディスク１に記録してあるデータに上書きをして誤消去してしまう虞がない。
【００５６】
また、光ディスク装置２では、以上のようなステップＳ１からステップＳ１４までの処理を行うことによって、光ディスク１に効率よくデータを記録することができ、データを書き込む際の転送レートを早くすることができる。
【００５７】
なお、以下、記録トラックＴｒＡと記録トラックＴｒＢとを切り換えて記録する方式の参考例を説明する。
【００５８】
光ディスク装置２では、図７に示すように、切換単位を所定のトラック長（例えば、３２クラスタ）として、記録する各切換単位における記録開始アドレスを、記録トラックＴｒＡと記録トラックＴｒＢとで変えて記録しても良い。例えば、記録トラックＴｒＡの最初の切換単位における記録開始アドレスをADD_Ｘとした場合には、記録トラックＴｒＢの最初の切換単位における記録開始アドレスをADD_Ｘ＋８として記録し、続いて、記録トラックＴｒＡの２番目の切換単位における記録開始アドレスをADD_Ｘ＋３２とし、記録トラックＴｒＢの２番目の切換単位における記録開始アドレスをADD_Ｘ＋４０として記録する。このように、切り換え前における記録トラックのデータの記録開始位置と切り換え前における記録トラックのデータの記録終了位置との間の所定の位置に対応する位置から、切り換え後における記録トラックに対してデータの記録を開始することにより、記録トラック間の移動時間を相対的に短くすることができ、データを書き込む際の転送レートを早くすることができる。
【００５９】
また、光ディスク装置２では、切換単位を光ディスク１の半径に対する長さに設定して、記録トラックＴｒＡと記録トラックＴｒＢとを切り換えて記録しても良い。例えば、光ディスク装置２では、光ディスク１の半径の長さが２００μｍ毎に切り換えても良いし、また、記録トラックの周回数が２００周分毎に切り換えても良い。また、ここで、この切換単位をトラッキングサーボ系だけで追従できる範囲に設定することにより、スレッドサーボ系に負担をかけずに、高速に切換を行うことができる。なお、この場合にも、図７に示したように、切り換え前における記録トラックのデータの記録開始位置と切り換え前における記録トラックのデータの記録終了位置との間の所定の位置に対応する位置から、切り換え後における記録トラックに対してデータの記録を開始するようにしても良い。
【００６０】
また、光ディスク装置２では、音声データを記録する場合、切換単位を音声データの内容等に応じた区切りに設定して、記録トラックＴｒＡと記録トラックＴｒＢとを切り換えて記録しても良い。例えば、光ディスク装置２では、音声データの１秒毎に切り換えても良いし、また、ＡＴＲＡＣ方式でデータ圧縮した場合いわゆるサウンドユニット単位で切り換えても良い。また、光ディスク装置２では、映像データを記録する場合、切換単位を映像データの内容等に応じた区切りに設定して、記録トラックＴｒＡと記録トラックＴｒＢとを切り換えて記録しても良い。例えば、光ディスク装置２では、フレーム数の整数倍毎に切り換えても良いし、また、ＭＰＥＧ方式でデータ圧縮した場合いわゆるＧＯＰ単位で切り換えても良い。このように音声データや映像データの内容等の区切りに基づき切換単位を設定することにより、光ディスクを再生する場合にも、切換点を容易に判別することができ、記録されたデータの編集処理も容易に行うことができる。なお、この場合にも、図７に示したように、切り換え前における記録トラックのデータの記録開始位置と切り換え前における記録トラックのデータの記録終了位置との間の所定の位置に対応する位置から、切り換え後における記録トラックに対してデータの記録を開始するようにしても良い。
【００６１】
以上のような参考例によっても、ダブルスパイラル形式の光ディスク１に対して、効率的にデータを記録することができる。また、光ディスク装置２では、各記録トラックの切換点を容易に判別することができる。また、光ディスク１を再生する場合にも、この切換点を容易に判別することができ、記録されたデータの編集処理も容易に行うことができる。また、光ディスク装置２では、光ディスク１に対して効率的にデータを記録することができるので、データを書き込む際の転送レートも早くすることができる。
【００６２】
なお、本発明を説明するにあたり、ダブルスパイラル形式の光ディスク１にデータを記録する光ディスク装置２について説明したが、本発明は、ダブルスパイラルのトラック形式の光ディスクにデータを記録するもの限られず、記録トラックがスパイラル状に形成されていれば、その記録トラックの本数は限定されない。
【図面の簡単な説明】
【００６３】
【図１】本発明の実施の形態の光ディスク装置に用いられる光ディスクのトラック形状を説明する為の図である。
【図２】上記光ディスクの要部を拡大した図である。
【図３】上記光ディスクの物理アドレスを検出するために記録トラックに照射されるビームスポットを説明するための図である。
【図４】本発明の実施の形態の光ディスク装置のブロック構成図である。
【図５】光ディスクにデータを記録する際における記録トラックの切換単位及び切換方式を説明するための図である。
【図６】上記光ディスク装置の記録処理を説明するためのフローチャートである。
【図７】光ディスクにデータを記録する際における記録トラックの切換単位及び切換方式の参考例を説明するための図である。
【符号の説明】
【００６４】
１ 光ディスク、２ 光ディスク装置、１１ 磁気ヘッド、１２ 光学ヘッド、１３ スピンドルモータ、１４ データ入力部、１５ ＩＤ，ＥＤＣエンコーダ、１６ ＥＣＣデコーダ、１７ メモリ、１８ 変調部、１９ 磁界変調ドライバ、２１ ＲＦアンプ、２２ ＲＦ信号復調部、２３ ＩＤデコーダ、２４メモリ、２５ ＥＣＣデコーダ、２６ ＥＤＣデコーダ、２７ データ出力部、２８ サーボコントローラ、２９ ＡＤＩＰデコーダ、３０ システムコントローラ
【図１】
2007052923.tif 000004
【図２】
2007052923.tif 000005
【図３】
2007052923.tif 000006
【図４】
2007052923.tif 000007
【図５】
2007052923.tif 000008
【図６】
2007052923.tif 000009
【図７】
2007052923.tif 000010